(57)【特許請求の範囲】
【請求項１】
熱源となる熱交換器と、前記熱交換器を介して温風を浴室内に循環送風する循環ファンを駆動する循環ファンモーターと、浴室内の湿気を含む空気を換気する換気ファンを駆動する換気ファンモーターと、運転動作を制御する電装部と、浴室と連通し、吸込口と吐出口を近接させた開口を備え、前記循環ファンの軸方向と前記換気ファンの軸方向が製品取付壁面に対し平行となるように設置され、前記開口は前記製品取付壁を隔てて設けられたグリルと連結され、前記グリルより浴室内の空気を吸い込み前記循環ファンを通じ前記熱交換器を介し前記グリルより温風を吹き出し、前記グリルより吸い込まれた浴室内の空気を前記換気ファン通じ排気口より外部に吹き出し、前記換気ファンを前記循環ファンに対し前記循環ファンモーターと逆側に設置し気流が前記循環ファンモーターに妨げられずに前記換気ファンに流入するようにした壁面設置式浴室乾燥機。
【請求項２】
熱源となる熱交換器と、前記熱交換器を介して温風を浴室内に循環送風する循環ファンを駆動する循環ファンモーターと、浴室内の湿気を含む空気を換気する換気ファンを駆動する換気ファンモーターと、運転動作を制御する電装部と、浴室と連通し、吸込口と吐出口を近接させた開口を備え、前記循環ファンの軸方向と前記換気ファンの軸方向が製品取付壁面に対し平行となるように設置され、前記開口は前記製品取付壁面に対し平行に設置され、前記開口は前記製品取付壁を隔てて設けられたグリルとダクトを通じ連結され、前記グリルより浴室内の空気を吸い込み前記循環ファンを通じ前記熱交換器を介し前記グリルより温風を吹き出し、前記グリルより吸い込まれた浴室内の空気を前記換気ファン通じ排気口より外部に吹き出し、前記換気ファンは前記循環ファンに対し前記循環ファンモーターと逆側に設置され、前記循環ファンは前記換気ファンに対し前記換気ファンモーターと逆側に設置された構成とした壁面設置式浴室乾燥機。
【請求項３】
前記循環ファンが両吸い込み式の遠心ファンである請求項１または２記載の壁面設置式浴室乾燥機。
【請求項４】
前記循環ファンの軸方向のファン幅が開口幅よりも小さい請求項１、２または３記載の壁面設置式浴室乾燥機。
【請求項５】
前記換気ファンが遠心ファンである請求項１、２、３または４記載の壁面設置式浴室乾燥機。
【請求項６】
前記本体に天吊り用部位、または架台取り付け用部位を備え、浴室の天井に設置可能な請求項１、２、３、４または５記載の壁面設置式浴室乾燥機。
【発明の詳細な説明】
【０００１】
【発明の属する技術分野】
本発明は、衣類および浴室内を乾燥または換気・暖房するために使用される暖房乾燥機のうち、壁面に設置することができる浴室乾燥機に関する。
【０００２】
【従来の技術】
従来の壁面設置式浴室乾燥機について図１０、１１を参照しながら説明する。
【０００３】
熱源となる熱交換器１０１と、熱交換器１０１を介して温風を浴室内に循環送風する循環ファン１０２を駆動する循環ファンモーター１０３と、浴室内の湿気を含む空気を換気する換気ファン１０４を駆動する換気ファンモーター１０５と、運転動作を制御する電装部１０６を備え、循環ファンモーター１０３および換気ファンモーター１０５双方の軸方向を製品取付壁面に対しともに垂直となる方向に設けられ、製品本体とダクト１０７を通じ連結され壁１０８を隔てて設けられたグリル１０９より浴室内の空気を吸い込み、循環ファン１０２を通じ熱交換器１０１を介しグリル１０９より温風を吹き出し、一方グリル１０９より吸い込まれた空気は換気ファン１０４を通じ排気口１１０より外部に吹き出す壁面設置式浴室乾燥機であり、また天井面への取付が考慮されていない壁面設置式浴室乾燥機であった。
【０００４】
【発明が解決しようとする課題】
このような従来の壁面設置式浴室乾燥機では、循環ファン１０２および換気ファン１０４双方の軸方向が製品取付壁面に対しともに垂直となる方向に設けられているため、本体の厚みが厚くなり、室外に設置した際に見栄えが悪い、また設置およびメンテナンス時の作業性が悪いという課題があった。
【０００５】
また、天井面取り付け専用の浴室乾燥機よりも設置面積が小さいので、平面部が狭い浴室の天井面へ取り付けることが可能であるが、天井取り付けが考慮されてないため設置時の作業性が悪く、また本体の厚みが厚いため天井裏高さの低い天井面に設置できない、また天井面に設置する場合に本体を点検口から天井裏に挿入できないという課題があり、本体の厚みを薄くすること、および天井面取り付け用の機構を付けることが要求されている。
【０００６】
本発明は、このような従来の課題を解決するものであり、本体厚みを薄くし、天井面取り付け用の機構を付けることにより、見栄えが良く、設置およびメンテナンス時の作業性が向上でき、天井裏高さの低い天井面に設置することができ、また天井面に点検口から設置することができる壁面設置式浴室乾燥機を提供することを目的としている。
【０００７】
【課題を解決するための手段】
本発明の壁面設置式浴室乾燥機は上記目的を達成するために、熱源となる熱交換器と、前記熱交換器を介して温風を浴室内に循環送風する循環ファンを駆動する循環ファンモーターと、浴室内の湿気を含む空気を換気する換気ファンを駆動する換気ファンモーターと、運転動作を制御する電装部と、浴室と連通し、吸込口と吐出口を近接させた開口を備え、前記循環ファンと前記換気ファンの軸方向が製品取付壁面に対し平行となるように設置され、前記開口は前記製品取付壁を隔てて設けられたグリルと連結され、前記グリルより浴室内の空気を吸い込み前記循環ファンを通じ前記熱交換器を介し前記グリルより温風を吹き出し、前記グリルより吸い込まれた浴室内の空気を前記換気ファン通じ排気口より外部に吹き出し、前記換気ファンを前記循環ファンに対し前記循環ファンモーターと逆側に設置し気流が前記循環ファンモーターに妨げられずに前記換気ファンに流入するようにした壁面設置式浴室乾燥機としたものである。また、他の手段は、熱源となる熱交換器と、前記熱交換器を介して温風を浴室内に循環送風する循環ファンを駆動する循環ファンモーターと、浴室内の湿気を含む空気を換気する換気ファンを駆動する換気ファンモーターと、運転動作を制御する電装部と、浴室と連通し、吸込口と吐出口を近接させた開口を備え、前記循環ファンの軸方向と前記換気ファンの軸方向が製品取付壁面に対し平行となるように設置され、前記開口は前記製品取付壁面に対し平行に設置され、前記開口は前記製品取付壁を隔てて設けられたグリルとダクトを通じ連結され、前記グリルより浴室内の空気を吸い込み前記循環ファンを通じ前記熱交換器を介し前記グリルより温風を吹き出し、前記グリルより吸い込まれた浴室内の空気を前記換気ファン通じ排気口より外部に吹き出し、前記換気ファンは前記循環ファンに対し前記循環ファンモーターと逆側に設置され、前記循環ファンは前記換気ファンに対し前記換気ファンモーターと逆側に設置された構成とした壁面設置式浴室乾燥機としたものである。
【０００９】
また他の手段は、循環ファンが両吸い込み式の遠心ファンである壁面設置式浴室乾燥機としたものである。
【００１０】
また他の手段は、循環ファンの軸方向のファン幅が開口幅よりも小さい壁面設置式浴室乾燥機としたものである。
【００１１】
また他の手段は、換気ファンが遠心ファンである壁面設置式浴室乾燥機としたものである。
【００１２】
また他の手段は、本体に天吊り用部位、または架台取り付け用部位を備え、浴室の天井に設置可能な壁面設置式浴室乾燥機としたものである。
【００１４】
本発明によれば、見栄えが良く、設置およびメンテナンス時の作業性が向上し、天井裏高さの低い天井面に設置することができ、また天井面に点検口から設置することができる壁面設置式浴室乾燥機が得られる。
【００１５】
【発明の実施の形態】
本発明は、熱源となる熱交換器と、前記熱交換器を介して温風を浴室内に循環送風する循環ファンを駆動する循環ファンモーターと、浴室内の湿気を含む空気を換気する換気ファンを駆動する換気ファンモーターと、運転動作を制御する電装部と、浴室と連通し、吸込口と吐出口を近接させた開口を備え、前記循環ファンと前記換気ファンの軸方向が製品取付壁面に対し平行となるように設置され、前記開口は前記製品取付壁を隔てて設けられたグリルと連結され、前記グリルより浴室内の空気を吸い込み前記循環ファンを通じ前記熱交換器を介し前記グリルより温風を吹き出し、前記グリルより吸い込まれた浴室内の空気を前記換気ファン通じ排気口より外部に吹き出し、前記換気ファンを前記循環ファンに対し前記循環ファンモーターと逆側に設置し気流が前記循環ファンモーターに妨げられずに前記換気ファンに流入するようにした壁面設置式浴室乾燥機としたものであり、また、熱源となる熱交換器と、前記熱交換器を介して温風を浴室内に循環送風する循環ファンを駆動する循環ファンモーターと、浴室内の湿気を含む空気を換気する換気ファンを駆動する換気ファンモーターと、運転動作を制御する電装部と、浴室と連通し、吸込口と吐出口を近接させた開口を備え、前記循環ファンの軸方向と前記換気ファンの軸方向が製品取付壁面に対し平行となるように設置され、前記開口は前記製品取付壁面に対し平行に設置され、前記開口は前記製品取付壁を隔てて設けられたグリルとダクトを通じ連結され、前記グリルより浴室内の空気を吸い込み前記循環ファンを通じ前記熱交換器を介し前記グリルより温風を吹き出し、前記グリルより吸い込まれた浴室内の空気を前記換気ファン通じ排気口より外部に吹き出し、前記換気ファンは前記循環ファンに対し前記循環ファンモーターと逆側に設置され、前記循環ファンは前記換気ファンに対し前記換気ファンモーターと逆側に設置された構成とした壁面設置式浴室乾燥機としたものであり、循環ファンを軸方向が製品取付壁面に対し平行となるように設置することにより、開口の大きさが小さく高静圧がかかる場合に、循環ファンのファン幅を大きくし、径を小さくして必要風量を確保することができ、本体の厚みを薄くすることができ、また、換気ファンの軸方向が製品取付壁面に対し平行となるように設置されることにより、換気ファンへの気流の流入、および本体の背面もしくは底面に設置された排気口への気流の流出がスムーズになるため、換気ファンの径を小さくすることができ、本体の厚みを薄くすることができ、また、気流が循環ファンモーターに妨げられずにスムーズに換気ファンに流入することができるため、さらに換気ファンの径を小さくすることができ、本体の厚みを薄くすることができるという作用を有する。
【００１７】
また、循環ファンが両吸い込み式の遠心ファンである壁面設置式浴室乾燥機としたものであり、両吸い込み式の遠心ファンにすることにより、開口が小さく高静圧がかかっても、回転数を上げることにより容易に必要風量が確保できるため、循環ファンの径を小さくすることができ、また遠心ファンのスクロール舌部により形成される隙間を風路とすることにより吸込圧損を低減することができるため、循環ファンの径を小さくすることができ、本体の厚みを薄くすることができるという作用を有する。
【００１８】
また、循環ファンの軸方向のファン幅が開口幅よりも小さい壁面設置式浴室乾燥機としたものであり、循環ファンの軸方向のファン幅を開口幅よりも小さくしたことにより、吸込圧損を低減することができるため、循環ファンの径を小さくすることができ、本体の厚みを薄くすることができるという作用を有する。
【００１９】
また、換気ファンが遠心ファンである壁面設置式浴室乾燥機としたものであり、遠心ファンにすることにより高静圧がかかっても、回転数を上げることにより容易に必要風量が確保できるため、換気ファンの径を小さくすることができ、また換気ファンの軸方向が製品取付壁面に対し平行となるように設置されることにより、換気ファンへの気流の流入、および本体の背面もしくは底面に設置された排気口への気流の流出がスムーズになるため、換気ファンの径を小さくすることができ、本体の厚みを薄くすることができるという作用を有する。
【００２０】
また、本体に天吊り用部位、または架台取り付け用部位を備え、浴室の天井に設置可能な壁面設置式浴室乾燥機としたものであり、本体に備えられた天吊り用部位、または架台取り付け用部位により、容易に天井取付ができるという作用を有する。
【００２２】
以下、本発明の実施例について図面を参照しながら説明する。
【００２３】
【実施例】
（実施例１）
図１、２、３、または４に示すように、本発明の壁面設置式浴室乾燥機は、熱源となる熱交換器１と、前記熱交換器１を介して温風を浴室内に循環送風する循環ファン２を駆動する循環ファンモーター３と、浴室内の湿気を含む空気を換気する換気ファン４を駆動する換気ファンモーター５と、運転動作を制御する電装部６と、浴室と連通し、吸込口７と吐出口８を近接させた開口９を備え、前記循環ファン２の軸方向が製品取付壁面に対し平行となるように設置され、かつ開口幅Ｗ２が本体幅Ｗ１の６０％以下で、かつ開口高さＨ２が本体高さＨ１の７０％以下であり、開口９は壁１０を隔てて設けられたグリル１１とダクト１２を通じ連結され、グリル１１より浴室内の空気を吸い込み、循環ファン２を通じ熱交換器１を介しグリル１１より温風を吹き出し、一方グリル１１より吸い込まれた空気は換気ファン４を通じ排気口１３より外部に吹き出す構成にされている。
【００２４】
上記構成により、開口９の大きさが小さく高静圧がかかる場合に、循環ファン２のファン幅を大きくし、径を小さくして必要風量を確保することができ、本体の厚みを薄くすることができる。
【００２５】
なお、本体の開口９とグリル１１との連通作業の際に、もともと浴室の壁に存在する換気口を利用することにより、作業を容易に行うことができる。
【００２６】
なお、換気口は高さ２００ｍｍ、幅２００ｍｍ以下の場合が多いため、開口９を高さ２００ｍｍ以下、幅２００ｍｍ以下にすることにより、容易に浴室に取り付けることができる。
【００２７】
（参考例１）
図５に示すように、吸込口７と吐出口８の面積比が５．５：４．５から６．５：３．５の範囲となる構成にされている。
【００２８】
上記構成により、吐出口面積Ｓｏに対して吸込口面積Ｓｉを大きく取ることになり、吸込圧損が低減し、吐出風速が上がるため、循環ファン２の径を小さくしても必要風量が確保でき、また浴室の天井面から床面まで温風を届かせることができ、本体の厚みを薄くすることができる。
【００２９】
（実施例２）
図６に示すように、循環ファン２が両吸い込み式の遠心ファンである構成にされている。
【００３０】
上記構成により、両吸い込み式の遠心ファンにすることにより開口９が小さく高静圧がかかっても、回転数を上げることにより容易に必要風量が確保できるため、循環ファン２の径を小さくすることができ、また遠心ファンのスクロール舌部１４により形成される隙間１５を風路とすることにより吸込圧損を低減することができるため、循環ファン２の径を小さくすることができ、本体の厚みを薄くすることができる。
【００３１】
（実施例３）
図７に示すように、循環ファン２の軸方向のファン幅Ｗｆが開口幅Ｗ２よりも小さい構成にされている。
【００３２】
上記構成により、循環ファン２の軸方向のファン幅Ｗｆを開口幅Ｗ２よりも小さくしたことにより、吸込口７から流入する気流が循環ファン２に当たることにより発生する吸込圧損を低減することができるため、循環ファン２の径を小さくすることができ、本体の厚みを薄くすることができる。
【００３３】
（実施例４）
図８に示すように、換気ファン４が遠心ファンであり、軸方向が製品取付壁面に対し平行となるように設置される構成にされている。
【００３４】
上記構成により、換気ファン４を遠心ファンにすることにより高静圧がかかっても、回転数を上げることにより容易に必要風量が確保できるため、換気ファン４の径を小さくすることができ、また換気ファン４の軸方向が製品取付壁面に対し平行となるように設置されることにより、換気ファン４への気流の流入、および本体の背面もしくは底面に設置された排気口１３への気流の流出がスムーズになるため、換気ファン４の径を小さくすることができ、本体の厚みを薄くすることができる。
【００３５】
なお、換気ファン４は循環ファンモーター３と逆側に設置すると、気流が循環ファンモーター３に妨げられずにスムーズに換気ファン４に流入することができるため、さらに換気ファン４の径を小さくすることができ、本体の厚みを薄くすることができる。
【００３６】
（実施例５）
図９に示すように、本体に天吊り用部位１６、または架台取り付け用部位１７を備え、浴室の天井に設置可能な構成にされている。
【００３７】
上記構成により、本体に備えられた天吊り用部位１６、または架台取り付け用部位１７により、容易に天井取付作業ができ、また設置面積が小さいため平面部が狭い浴室の天井面へも取り付けることができ、また本体厚みが薄いため、天井裏高さの低い天井面に設置することができ、また天井面に点検口から設置することができる。
【００３８】
なお、本体の開口９とグリル１１との連通作業の際に、もともと浴室の天井面に備えられた換気扇用の穴を利用しても良い。もともと浴室の天井面に備えられた換気扇用の穴を利用することにより、作業を容易に行うことができ、また、換気扇用のグリルと壁面設置式浴室乾燥機のグリル１１を共存させずに済むため、見栄えも良く、平面部の狭い天井面にも設置することができる。
【００３９】
なお、排気口１３に排気ダクト１８を接続する接続部位１９を備え、排気ダクト１８から屋外へ空気を吹き出させる構成としても良い。さらに換気ファン４の運転に風量一定制御などの制御を加えると、排気ダクト１８の配管方法による圧損の変化や外風による圧損の変化に影響されずに換気を行うことができる。
【００４０】
なお、循環ファンモーター３、換気ファンモーター５とも軸方向が水平となるため、天上面設置の場合でもモーターベアリングのラジアル方向に力がかかり、ベアリングの寿命を長くすることができる。
【００４１】
なお、天吊り用部位１６、または架台取り付け用部位１７は、あらかじめ本体に備えられた構成でも、天井面取り付けの場合のみに本体に接続する構成でも良く、また本体から突出していても、本体に内包されていても良い。
【００４２】
なお、天井面の厚みは一般に壁よりも薄い場合が多いため、グリル１１と本体の開口９はダクト１２を通じず、直接連通されても良い。
【００４３】
（参考例２）
図１０に示すように、換気ファン４が無く、電装部６に換気扇連動端子２０を備えた構成にされている。
【００４４】
上記構成により、換気扇連動端子２０が備えられているので、もともと浴室に備えられた換気扇２１と本発明の壁面設置式浴室乾燥機を電気的に接続させ、換気扇２１を連動させて運転することが可能となるため、本体内に換気ファン４が無くても換気、乾燥運転を行うことができ、本体の軽量化、薄型化、作業性の向上、コストダウンができる。
【００４５】
なお、換気ファン４を取り付けたまま換気扇２１と連動させても良い。換気ファン４を取り付けたまま換気扇２１と連動させることにより、換気ファン４と換気扇２１の同時運転、または個別運転をすることができ、換気風量の調節範囲が広がり、適切な換気風量を選択することが可能となり、消費電力を抑えて換気、乾燥時間を短縮することができる。
【００４６】
なお、一般に換気扇２１は天井面に設置されていることが多いため、本発明の壁面設置式浴室乾燥機を天井面に設置することにより、換気扇２１と換気扇連動端子２０の接続配線を短かくすることができ、作業性を向上することができる。
【００４７】
【発明の効果】
以上の実施例から明らかなように、本発明によれば、本体厚みを薄くし、天井面取り付け用の機構を付けることにより、見栄えが良く、設置およびメンテナンス時の作業性が向上でき、天井裏高さの低い天井面に設置することができ、また天井面に点検口から設置することができる壁面設置式浴室乾燥機を提供できる。
【図面の簡単な説明】
【図１】    本発明の実施例１の壁面設置式浴室乾燥機本体斜視図
【図２】    同正面図
【図３】    同壁面設置状態での循環ファンを含む側断面図
【図４】    同壁面設置状態での換気ファンを含む側断面図
【図５】    参考例１の壁面設置式浴室乾燥機本体正面図
【図６】    （ａ）本発明の実施例２の壁面設置式浴室乾燥機の本体正面図  （ｂ）同壁面設置状態での循環ファンを含む側断面図
【図７】    同実施例３の壁面設置式浴室乾燥機の本体正面図
【図８】    （ａ）同実施例４の壁面設置式浴室乾燥機の本体正面図  （ｂ）同壁面設置状態での換気ファンを含む側断面図
【図９】    （ａ）同実施例５の壁面設置式浴室乾燥機の天井面取り付け状態の側面図  （ｂ）同側面図
【図１０】    参考例２の壁面設置式浴室乾燥機の天井面取り付け状態の側面図
【図１１】    従来の壁面設置式浴室乾燥機を示す斜視図
【図１２】    従来の壁面設置式浴室乾燥機を示す側面図
【符号の説明】
１      熱交換器
２      循環ファン
３      循環ファンモーター
４      換気ファン
５      換気ファンモーター
６      電装部
７      吸込口
８      吐出口
９      開口
Ｗ１    本体幅
Ｗ２    開口幅
Ｈ１    本体高さ
Ｈ２    開口高さ
１０    壁
１１    グリル
１２    ダクト
１３    排気口
Ｓｉ    吸込口面積
Ｓｏ    吐出口面積
１４    スクロール舌部
１５    隙間
Ｗｆ    ファン幅
１６    天吊り用部位
１７    架台取り付け用部位
１８    排気ダクト
１９    接続部位
２０    換気扇連動端子
２１    換気扇
【図１】
0004278830.tif 000002
【図２】
0004278830.tif 000003
【図３】
0004278830.tif 000004
【図４】
0004278830.tif 000005
【図５】
0004278830.tif 000006
【図６】
0004278830.tif 000007
【図７】
0004278830.tif 000008
【図８】
0004278830.tif 000009
【図９】
0004278830.tif 000010
【図１０】
0004278830.tif 000011
【図１１】
0004278830.tif 000012
【図１２】
0004278830.tif 000013